(57)【要約】【課題】  小型で効率の良い詰め物の吹き込み作業をなし得る詰め物吹き込み装置を提供する。【課題の解決手段】  詰め物吹き込み装置１は、詰め物を投入する開閉蓋５と排出するための排出口１８を有する有底円筒状の詰め物収容体３と、この詰め物収容体３内で水平に伸びる回転軸１１に枠状の撹拌羽根１２ａ，１２ｂ，１２ｃを３個取り付けてなる撹拌機構と、詰め物収容体３内の底部に対向配置し、それぞれ回転軸１１の軸線と平行に伸び、かつ底面から周面に向けて立ち上がるとともに、その一方には排出口１８と撹拌機構設置空間を連通する排出通路９を設けてなる一対の傾斜ガイド板１６ａ，１６ｂと、一端側は排出口１８と連通し、他端側には詰め物を吹き込む皮をセットする吹き込みノズル１９と、撹拌機構によって撹拌された詰め物を詰め物収容体３内から吹き込みノズル１９へ送り込むための、噴出ノズル２２を有するエアー吸引機構と、を備えてなる。【選択図】    図１
2006014808.tif 000002
【特許請求の範囲】
【請求項１】
詰め物を投入するために開閉可能な投入口と詰め物を排出するための排出口を有する有底円筒状の詰め物収容体と、この詰め物収容体内に配置した水平に伸びる回転軸に枠状の撹拌羽根を回転方向に等間隔をおいて複数取り付けてなる、前記詰め物収容体内の詰め物を撹拌するための撹拌機構と、詰め物収容体内に、前記撹拌機構の各撹拌羽根が通過する底部部分に詰め物をガイドするよう設け、その適所には前記排出口と前記詰め物収容体の撹拌機構設置空間を連通する排出通路を設けてなるガイド板と、一端側は前記詰め物収容体の排出口と連通し、他端側には詰め物を吹き込む皮をセットする吹き込みノズルと、前記撹拌機構によって撹拌された詰め物を前記詰め物収容体内から吹き込みノズルへ送り込むために、エアーを噴出する噴出ノズルを有し、この噴出ノズルの噴出口が前記排出通路内に位置するとともに、前記吹き込みノズルに向けて配置されてなるエアー吸引機構と、を備えたことを特徴とする詰め物吹き込み装置。
【請求項２】
機台上に設けて底面を閉塞し、円筒状の周面を有し、上面は詰め物を投入するために少なくとも一部が開閉可能な蓋で閉塞し、下部には投入された詰め物を排出する排出通路を有してなる詰め物収容体と、この詰め物収容体内に配置した水平に伸びる回転軸にアーチ型枠状の撹拌羽根を回転方向に等間隔をおいて複数取り付け、回転駆動源は前記機台内に配置し、前記回転軸の回転方向は前記排出通路に対向する部分で下から上に向かうよう設定してなる撹拌機構と、前記詰め物収容体内の底部に、それぞれ前記撹拌機構の回転軸の軸線と平行に伸び、かつ底面から周面に向けて立ち上がるように設け、その一方には前記排出通路内に詰め物を導入する導入口を開口してなる一対の対向配置した傾斜ガイド板と、一端側は前記詰め物収容体の排出通路と連通し、他端側には詰め物を吹き込む皮をセットする吹き込みノズルと、前記機台内に配置したエアーコンプレッサに接続した噴出ノズルの噴出口を前記排出通路内に位置させるとともに、前記吹き込みノズルに向けてなり、前記撹拌機構によって撹拌された詰め物を前記詰め物収容体から排出通路を介して吹き込みノズルへ送り込むエアー吸引機構と、を備えたことを特徴とする詰め物吹き込み装置。
【請求項３】
噴出ノズルの噴出口は、本体に対して突出入方向に位置調整可能に構成したことを特徴とする請求項１または請求項２記載の詰め物吹き込み装置。
【発明の詳細な説明】
【技術分野】
【０００１】
本発明は、ぬいぐるみ、クッション、枕等の皮に綿、ウレタン、ビーズ等の詰め物を吹き込んで、ぬいぐるみ、クッション、枕等を製造するための詰め物吹き込み装置に関する。
【背景技術】
【０００２】
従来のこの種詰め物吹き込み装置では、詰め物である綿をほぐすために攪拌するための攪拌装置（開繊装置）と、ぬいぐるみ等の皮に詰め物を吹き込むための吹き込み装置とを別体に構成しているのが一般的である。
【特許文献１】特開平１０−１６５６７３号公報
【発明の開示】
【発明が解決しようとする課題】
【０００３】
このため、従来においては、装置が大型化し、占有面積が大きくなるので、狭い作業場所には設置できないという不都合があった。本発明は、この不都合を解消して、小型で効率の良い詰め物の吹き込みをなしうる詰め物吹き込み装置を提供することを目的とする。
【課題を解決するための手段】
【０００４】
この目的を達成するため、本発明の請求項１に係る詰め物吹き込み装置は、詰め物を投入するために開閉可能な投入口と詰め物を排出するための排出口を有する有底円筒状の詰め物収容体と、この詰め物収容体内に配置した水平に伸びる回転軸に枠状の撹拌羽根を回転方向に等間隔をおいて複数取り付けてなる、前記詰め物収容体内の詰め物を撹拌するための撹拌機構と、詰め物収容体内に、前記撹拌機構の各撹拌羽根が通過する底部部分に詰め物をガイドするよう設け、その適所には前記排出口と前記詰め物収容体の撹拌機構設置空間を連通する排出通路を設けてなるガイド板と、一端側は前記詰め物収容体の排出口と連通し、他端側には詰め物を吹き込む皮をセットする吹き込みノズルと、前記撹拌機構によって撹拌された詰め物を前記詰め物収容体内から吹き込みノズルへ送り込むために、エアーを噴出する噴出ノズルを有し、この噴出ノズルの噴出口が前記排出通路内に位置するとともに、前記吹き込みノズルに向けて配置されてなるエアー吸引機構と、を備えたものである。
【０００５】
また、同じく上述の目的を達成するために、本発明の請求項２に係る詰め物吹き込み装置は、機台上に設けて底面を閉塞し、円筒状の周面を有し、上面は詰め物を投入するために少なくとも一部が開閉可能な蓋で閉塞し、下部には投入された詰め物を排出する排出通路を有してなる詰め物収容体と、この詰め物収容体内に配置した水平に伸びる回転軸にアーチ型枠状の撹拌羽根を回転方向に等間隔をおいて複数取り付け、回転駆動源は前記機台内に配置し、前記回転軸の回転方向は前記排出通路に対向する部分で下から上に向かうよう設定してなる撹拌機構と、前記詰め物収容体内の底部に、それぞれ前記撹拌機構の回転軸の軸線と平行に伸び、かつ底面から周面に向けて立ち上がるように設け、その一方には前記排出通路内に詰め物を導入する導入口を開口してなる一対の対向配置した傾斜ガイド板と、一端側は前記詰め物収容体の排出通路と連通し、他端側には詰め物を吹き込む皮をセットする吹き込みノズルと、前記機台内に配置したエアーコンプレッサに接続した噴出ノズルの噴出口を前記排出通路内に位置させるとともに、前記吹き込みノズルに向けてなり、前記撹拌機構によって撹拌された詰め物を前記詰め物収容体から排出通路を介して吹き込みノズルへ送り込むエアー吸引機構と、を備えたものである。
【０００６】
さらに、同じく上述の目的を達成するために、本発明の請求項３に係る詰め物吹き込み装置は、上述した各構成において、噴出ノズルの噴出口は、本体に対して突出入方向に位置調整可能に構成したものである。
【発明の効果】
【０００７】
本発明に係る詰め物吹き込み装置によれば、小型で効率の良い詰め物の吹き込み作業をなし得るという効果を奏する。
【発明を実施するための最良の形態】
【０００８】
以下、本発明の好適な実施形態を添付図面に基づいて説明する。ここにおいて、図１は装置全体の一部を省略した概略的な縦断側面図、図２は同じく一部を省略した概略的な縦断正面図、図３は同じく一部を省略した概略的な横断平面図である。
【０００９】
図１〜図３に示すように詰め物吹き込み装置１は、筺体状の機台２と、この機台２上に設けて底面を閉塞し、円筒状の周面を有する、透視可能な詰め物収容体３を備えている。この詰め物収容体３の上面は、その一部をヒンジ４を介して開閉可能に支持した開閉蓋５で構成した透視可能な蓋板６で閉塞し、前記開閉蓋５を開けると、綿等の詰め物（図示せず）を投入するための投入口が開口形成される。前記蓋板６の上面には、前記詰め物収容体３内を照らす蛍光灯７と、開閉蓋５のロック機構としてエアーシリンダによって進退するロッド８を設けている。また、前記詰め物収容体３の下部には、投入された詰め物を排出する排出通路９を設けている。
【００１０】
詰め物収容体３内には、攪拌機構を設けている。この攪拌機構は、中空の支持脚１０ａ，１０ｂ上に軸受けを介して、水平に伸びる回転軸１１を回転可能に支持し、この回転軸１１にアーチ型枠状の撹拌羽根１２ａ，１２ｂ，１２ｃを回転方向に等間隔をおいて３枚取り付け、回転駆動源である機台２内に配置した駆動モータ１３の出力軸と前記回転軸１１とにはプーリを介して無端ベルト１４を掛け渡してなる。前記駆動モータ１３の回転駆動力により、前記回転軸１１は図１上時計方向に回転するよう構成している。
【００１１】
図２に示すように、各攪拌羽根１２ａ，１２ｂ，１２ｃには、回転軸１１と各攪拌羽根１２ａ，１２ｂ，１２ｃの頂部とを連結する補助板１５（攪拌羽根１２ａについてのみ図示）をそれぞれ設けている。この補助板１５は、強度補強と攪拌機能の向上を図るものである。
【００１２】
また、詰め物収容体３内の底部には、回転軸１１の軸線と平行に伸びて、攪拌羽根１２ａ，１２ｂ，１２ｃと若干の間隔をおいて対向する、一対の傾斜ガイド板１６ａ，１６ｂを設けている。これら傾斜ガイド板１６ａ，１６ｂは、底面に対してほぼ４５度の角度を有して、周面にまで立ち上がっている。また、一方の傾斜ガイド板１６ａには、排出通路９の導入口１７を開口している。
【００１３】
さらに、詰め物収容体３の周面に開口した排出通路９の排出口１８には、吹き込みノズル１９の一端側を透視可能な取付筒２０を介して取り付けている。前記吹き込みノズル１９の取付端はロート状である一方、このロート状部分以外は可撓性を有している。また、前記吹き込みノズル１９の先端側（取付端とは反対側）には、詰め物を吹き込むぬいぐるみ等の皮（図示せず）をセットするものである。
【００１４】
吹き込みノズル１９にエアーとともに詰め物収容体３内の詰め物を送り込むエアー吸引機構は、機台２内に配置したエアーコンプレッサ２１と、このエアーコンプレッサ２１に接続した噴出ノズル２２とからなる。そして、この噴出ノズル２２の噴出口２３は、排出通路９内で導入口１７の下方に位置するとともに、前記吹き込みノズル１９に向けられている。前記噴出口２３は、噴出ノズル２２の本体に螺合することにより、突出入方向に位置調整可能に構成され、この位置調整によって、詰め物を詰め物収容体３から吹き込みノズル１９に送り込む吸引力を微調整することができる。すなわち、この噴出口２３の位置によって、前記詰め物収容体３から詰め物を吸引する吸引力と、前記吹き込みノズル１９に対して詰め物を吹き出す噴出力のバランス調整を行うものである。また、図２中、２４はエアー蓄圧タンクである。
【００１５】
なお、図示していないが、基台２には、コンプレッサ２１をオンオフ制御する電源スイッチ、撹拌機構をオンオフ制御する撹拌運転スイッチ、噴出ノズル２２からのエアーの噴出をオンオフ制御するエアースイッチが設けられている。また、前記エアースイッチにはフットスイッチ（図示せず）を直列接続し、前記エアースイッチとこのフットスイッチとが共にオン状態のときにのみ、前記噴出ノズル２２の噴出口２３からエアーが噴出するよう構成している。
【００１６】
さらに、撹拌運転スイッチがオン状態にあると、ロック機構のロッド８が進入状態となって、開閉蓋５を開けることができない一方、開閉蓋５が開いている状態で撹拌運転スイッチをオンにしても駆動モータ１３は駆動しないよう構成している。またさらに、前記基台２には、ロック機構を備えたキャスタを設け、詰め物吹き込み装置１を移動可能にするとともに、吹き込み作業時には、床面に固定可能に構成している。
【００１７】
続いて、上述した詰め物吹き込み装置１による吹き込み作業を説明する。まず、電源スイッチをオン状態とし、コンプレッサ２１を始動した後、開閉蓋５を開いて開口した投入口から、綿等の詰め物を詰め物収容体３内に投入する。次いで撹拌運転スイッチをオン状態とすると、駆動モータ１３が駆動し、回転軸１１とともに各撹拌羽根１２ａ，１２ｂ，１２ｃが、図１上時計方向に回転して、詰め物収容体３内の綿が撹拌される。この時、各撹拌羽根１２ａ，１２ｂ，１２ｃにより撹拌された綿は、傾斜ガイド板１６ａ，１６ｂにガイドされて前記詰め物収容体３の底部中央部分に集まるので、満遍なく撹拌されて、十分にほぐれた状態となる。さらに続いて、エアースイッチをオン状態にすると、吹き込み準備が完了する。
【００１８】
次いで、吹き込み作業に入るのであるが、まず、ぬいぐるみの皮を作業員が把持して、吹き込みノズル１９の先端を前記皮の内部に挿入してセットする。この皮を手で持ったセット状態でフットスイッチを踏んでオン状態にすると、エアーコンプレッサ２１から供給されたエアーが、噴出ノズル２２の噴出口２３から吹き込みノズル１９に向けて噴出する。これによって、排出通路９内に導入口１７から排出口１８に向かうエアー吸引力が作用する。
【００１９】
このエアー吸引力によって、撹拌羽根１２ａ，１２ｂ，１２ｃで詰め物収容体３内の底部から導入口１７に対応する位置に持ち来された、ほぐれた状態の綿は、順次、前記導入口１７から排出通路９内に引き込まれ、排出口１８から吹き込みノズル１９を経て、ぬいぐるみの皮の内部に吹き込まれる。
【００２０】
このようにして、ぬいぐるみの皮の内部に綿が順次吹き込まれ、これが所定量に達したことを、作業員が前記皮を把持している手の感覚、及び視覚により確認した時に、フットスイッチから足を離してオフ状態とし、噴出ノズル２２の噴出口２３からのエアーの噴出を停止する。そして、吹き込みノズル１９を抜いて、ぬいぐるみの皮の開口部を適宜手段で閉塞し、ぬいぐるみを完成するものである。以上のぬいぐるみの皮に対する綿の吹き込み動作を繰り返して、所望数のぬいぐるみを製造することができる。
【００２１】
吹き込み作業の途中で、詰め物収容体３内の綿がなくなった場合には、撹拌運転スイッチをオフ状態にするとロッド８が退出して、ロック状態が解除されるので、回転軸１１及び撹拌羽根１２ａ，１２ｂ，１２ｃの回転が停止したことを確認後、開閉蓋５を開いて新たな綿を詰め物収容体３内に投入する。そして、前記開閉蓋５を閉じて、前記撹拌運転スイッチをオン状態にすると、前記ロッド８が進入して、再度ロック状態となる。これによって、フットスイッチがオン動作可能となり、詰め物の吹き込み動作を再開できる。
【００２２】
予定の吹き込み作業が終了した場合には、エアースイッチ、撹拌運転スイッチ、電源スイッチを全てオフ状態とする。電源スイッチがオフ状態になると、開閉蓋５はロック状態となり、これを開くことは不可能となる。これによって、作業終了後に、外部者が異物等を詰め物収容体３内に混入することを防止できる。
【００２３】
なお、本発明は上述の実施形態に限定されるものではなく、例えば、ぬいぐるみ以外にもクッションや枕に適用することもでき、また、詰め物は綿に限らず、ウレタンやビーズ等でもよい。さらに、ガイド板は一対の傾斜ガイド板のほか、一枚の球面状のガイド板や、一枚あるいは一対の曲面状のガイド板でもよい。またさらに、エアー吸引機構としては、エアーコンプレッサに替えて、ブロアを利用したものでもよい。
【図面の簡単な説明】
【００２４】
【図１】一部を省略した装置全体の概略的な縦断側面図。
【図２】同じく縦断正面図。
【図３】同じく横断平面図。
【符号の説明】
【００２５】
１      詰め物吹き込み装置
２      機台
３      詰め物収容体
５      開閉蓋
９      排出通路
１１      回転軸
１２ａ，１２ｂ，１２ｃ      撹拌羽根
１３      駆動モータ
１６ａ，１６ｂ      傾斜ガイド板
１７      導入口
１８      排出口
１９      吹き込みノズル
２１      エアーコンプレッサ
２２      噴出ノズル
２３      噴出口
２４      エアー蓄圧タンク
【図１】
2006014808.tif 000003
【図２】
2006014808.tif 000004
【図３】
2006014808.tif 000005